(57)【要約】【課題】閉蓋時にクリック感を生ずるキャップ付き容器において構造の複雑化及び製造コストの増加を防止する。【解決手段】天板３２の外周部から外周壁部３４を、また天板３２の裏面中心部から内周壁部３６をそれぞれ垂下するとともに、この内周壁部３６を上記口頸部１０の外面へ螺合させたキャップ３０と、内周壁部３６の周りを囲む脚筒部５２を有し、この脚筒部５２を、内周壁部３６に対して回動不能かつ昇降可能に設けるとともに、脚筒部５２の下端側に第２係合部５６を付設し、かつ脚筒部５２の上端側から天板３２の裏面に当接可能な板バネ６２を上方突出した。またキャップ３０の平面形状を、略楕円形に形成し、かつ上記板バネ６２を、上方から見て第２係合部５６の形成箇所からずれた箇所に設けた。【選択図】図１
2014240296.tif 000002
【特許請求の範囲】
【請求項１】
胴部(４)から肩部(６)を介して口頸部(１０)を起立するとともに、肩部(６)の周方向の一部に第１係合部(８)を付設した容器体(２)と、
天板(３２)の外周部から外周壁部(３４)を、また天板(３２)の裏面中心部から内周壁部(３６)をそれぞれ垂下するとともに、この内周壁部(３６)を上記口頸部(１０)の外面へ螺合させたキャップ(３０)と、
キャップ(３０)の外周壁部(３４)及び内周壁部(３６)の間に組み付けられており、この内周壁部(３６)の周りを囲む脚筒部(５２)を有し、かつ、この脚筒部(５２)を、内周壁部(３６)に対して回動不能かつ昇降可能に設けるとともに、脚筒部(５２)の下端側に第２係合部(５６)を付設し、かつ脚筒部(５２)の上端側から天板(３２)の裏面に当接可能な板バネ(６２)を上方突出し、キャップ(３０)を閉方向へ回転させて予め決められた閉鎖位置に到達したときに、上記第２係合部(５６)が上記第１係合部(８)を乗り越えることで、クリック感を生ずるように設けた位置決め部材(５０)とを具備するキャップ付き容器において、
上記容器体(２)及びキャップ(３０)の平面形状を、キャップ(３０)が上記閉鎖位置にあるときに、同一方向に長径軸を有する略楕円形に形成し、かつ上記板バネ(６２)を、上方から見て第２係合部(５６)の形成箇所からずれた箇所に設けたことを特徴とする、キャップ付き容器。
【請求項２】
上記第２係合部(５６)を、上方から見て、上記略楕円形状のキャップ(３０)の短径軸(ＡＳ)の近傍に形成するとともに、板バネ(６２)を上方から見て短径軸(ＡＳ) の近傍からずれた箇所に設けたことを特徴とする、請求項１記載のキャップ付き容器。
【請求項３】
上記位置決め部材(５０)は、上記脚筒部(５２)の上部から外向きフランジ状板部(５８)を突出するとともに、この外向きフランジ状板部(５８)の外周の適所から上記板バネ(６２)を起立し、かつ上記外向きフランジ状板部(５８)を、上記キャップ(３０)の長径軸(ＡＬ)の方向へ延長して一対の延長板部(６４)を設け、これら延長板部(６４)の先部を、上方から見た上記外周壁部(３４)の内隅部(３５)に嵌入させたことを特徴とする、請求項２記載のキャップ付き容器。
【発明の詳細な説明】
【技術分野】
【０００１】
本発明は、キャップ付き容器に関する。
【背景技術】
【０００２】
ネジ式のキャップ付き容器において、キャップが完全に閉じていないと、閉塞箇所に緩みを生じて液漏れを招くおそれがある。そこで、例えば容器体側とキャップ側との対応箇所に、キャップが緩みなく容器体に締め込まれたときに係合する凹凸状の係合部を設け、係合時に締め込み完了を利用者に知らせるクリック感を生じさせたものが知られている。これにより、落下などにより多少の衝撃を受けても緩み止めの効果も期待できる。
しかしながら、緩み止めの作用を有しかつクリック感を生じさせるタイプでは、係合部が磨耗し易い。磨耗が発生すると外観が悪化するとともに、クリック感も弱くなるので、使用感が劣化する。
【０００３】
そこでクリック感を発揮できるとともに、係合部の磨耗を低減したキャップ付き容器が提案されている（特許文献１）。
【０００４】
このキャップ付き容器は、胴部から肩部を介して口頸部を起立するとともに、肩部の周方向の一部に第１係合リブを付設した容器体と、天板の外周部から外周壁部を、また天板の裏面中心部から内周壁部をそれぞれ垂下するとともに、この内周壁部を上記口頸部の外面へ螺合させたキャップと、この内周壁部の上部に取り付けた嵌合リングから板ばねを垂下し、この板ばねの下端部内面に第２係合リブを付設した位置決め手段とを具備し、キャップを閉方向へ回転させて予め決められた閉鎖位置に到達したときに、上記第２係合リブが上記第１係合リブを乗り越えることで、クリック感を生ずるように設けた位置決め部材とを具備している。
【先行技術文献】
【特許文献】
【０００５】
【特許文献１】実公平５−７１５７
【発明の概要】
【発明が解決しようとする課題】
【０００６】
上記特許文献１の構成では、位置決め手段の第２係合リブが口頸部側の第１係合リブを乗り越えてクリック感を生ずる際に、その第２係合リブを付設した板バネが側外方へ弾性変形することで、第２係合リブに作用する衝撃をある程度緩和するように工夫していた。もっともこうした構成では、板バネが側外方へ変形することで折れたり、弾性疲労する虞があり、こうした不具合を回避するために板バネの長さや強度を設計しなければならない。また板バネが側外方へ変形することを可能とするために、板バネと外周壁部との間に板バネの変形代を確保しなければならない。こうした設計上の制約を考慮して、出願人は、キャップの外周壁部と内周壁部との間に第２係合リブ付きの位置決め手段を下方へ付勢させて組み込み、第２係合リブへの衝突力を緩和するというアイディアに想到した。しかしながら、キャップの平面形状が略楕円形である場合には、キャップを回すときに力が加え易いので、過剰な圧接力により第２係合リブが変形するおそれがないとは言えない。そしてリブが変形すると、適切なクリック感が得られなくなる。
【０００７】
本発明の目的は、閉蓋時にクリック感を生ずるキャップ付き容器において構造の複雑化及び製造コストの増加を防止することである。
【課題を解決するための手段】
【０００８】
第１の手段は、胴部４から肩部６を介して口頸部１０を起立するとともに、肩部６の周方向の一部に第１係合部８を付設した容器体２と、
天板３２の外周部から外周壁部３４を、また天板３２の裏面中心部から内周壁部３６をそれぞれ垂下するとともに、この内周壁部３６を上記口頸部１０の外面へ螺合させたキャップ３０と、
キャップ３０の外周壁部３４及び内周壁部３６の間に組み付けられており、この内周壁部３６の周りを囲む脚筒部５２を有し、かつ、この脚筒部５２を、内周壁部３６に対して回動不能かつ昇降可能に設けるとともに、脚筒部５２の下端側に第２係合部５６を付設し、かつ脚筒部５２の上端側から天板３２の裏面に当接可能な板バネ６２を上方突出し、キャップ３０を閉方向へ回転させて予め決められた閉鎖位置に到達したときに、上記第２係合部５６が上記第１係合部８を乗り越えることで、クリック感を生ずるように設けた位置決め部材５０とを具備するキャップ付き容器において、
上記容器体２及びキャップ３０の平面形状を、キャップ３０が上記閉鎖位置にあるときに、同一方向に長径軸を有する略楕円形に形成し、かつ上記板バネ６２を、上方から見て第２係合部５６の形成箇所からずれた箇所に設けた。
【０００９】
本手段では、図４に示すような楕円形状のキャップ３０に組み付けた位置決め部材５０において、板バネ６２を、上方から見て第２位置決め用の第２係合部５６の形成箇所からずれた位置に設けている。キャップ３０の平面形状が楕円であると、キャップ３０を回転させる操作の際に力が入り易いので、第２係合部５６の変形を回避するために上記形状としている。本発明のより好適な態様を後述の手段で説明する。
【００１０】
第２の手段は、第１の手段を有し、かつ
上記第２係合部５６を、上方から見て、上記略楕円形状のキャップ３０の短径軸ＡＳの近傍に形成するとともに、板バネ６２を上方から見て短径軸ＡＳの近傍からずれた箇所に設けた。
【００１１】
本手段では、図４に示す如く、第２係合部５６を、上方から見て当該楕円の短径軸ＡＳの付近（例えば図８の左右方向中間部５０Ａ）に設け、板バネ６２を短径軸ＡＳの近傍からずれた箇所（例えば図８に示す位置決め部材５０の左方側部５０Ｂ及び右方側部５０Ｃ）に設けることを提案している。これにより第２係合部５６への圧接力をさらに緩和できる。
【００１２】
第３の手段は、第２の手段を有し、かつ
上記位置決め部材５０は、上記脚筒部５２の上部から外向きフランジ状板部５８を突出するとともに、この外向きフランジ状板部５８の外周の適所から上記板バネ６２を起立し、かつ上記外向きフランジ状板部５８を、上記キャップ３０の長径軸ＡＬの方向へ延長して一対の延長板部６４を設け、これら延長板部６４の先部を、上方から見た上記外周壁部３４の内隅部３５に嵌入させた。
【００１３】
本手段では、図４、図５に示す外周壁部３４の内隅部３５に延長板部６４の先部を嵌入させた構造としている。これにより、特に位置決め部材５０がキャップ３０の外周壁部３４内に組み付けられるため、キャップ３０の平面形状を、力を加え易い略楕円形としたことと相まって、第２係合部５６が第１係合部８に対してより強く圧接される可能性がある。しかし、こうした構造のときでも、上記第１の手段により第１係合部８に対する第２係合部５６の当たりが緩和されるので、第２係合部５６の変形を回避できる。
【００１４】
なお、上記容器体２は、その長径ｄＬの方向に割れ線（パーティングライン）を有する金型を用いて型成形することができる。これにより通常容器の正面となる短径側に容器体の割れ線がくることをないから、容器としての外観を損なうことを回避することができる。
【発明の効果】
【００１５】
第１の手段に係る発明によれば、位置決め部材５０は、第２係合部５６を付設した脚筒部５２の上端側から板バネ６２を上方突出したから、第２係合部５６が第１係合部８を乗り越えるときに第２係合部５６が削れることを防止でき、かつ上方から見て板バネ６２が第２係合部５６の形成箇所からズレているので、より第２係合部５６の磨耗を低減できる。
第２の手段に係る発明によれば、上記第２係合部５６を、上方から見て略楕円形状のキャップ３０の短径軸ＡＳの近傍に形成し、かつ板バネ６２を短径軸の近傍からずらしたから、さらに第２係合部５６の磨耗を低減できる。
第３の手段に係る発明によれば、脚筒部５２に付設した外向きフランジ状板部から上記長径軸ＡＬの方向へ延びる一対の延長板部６４を外周壁部３４の内隅部も嵌入させたから、位置決め部材５０をキャップ３０内に確実に組み付けることができ、第２係合部５６が第１係合部８を乗り越える力が増大する。
【図面の簡単な説明】
【００１６】
【図１】本発明の第１実施形態に係るキャップ付き容器を正面方向から見た半断面図である。
【図２】図１のキャップ付き容器を側方からみた半断面図である。
【図３】図１のキャップ付き容器の要部拡大図である。
【図４】図１のキャップ付き容器の平面図である。
【図５】図１のキャップ付き容器の分解図である。
【図６】図１のキャップ付き容器の要部を正面方向から見た半断面図である。
【図７】図６の要部を側方から見た半断面図である。
【図８】図６の要部の平面図である。
【図９】図６の要部の底面図である。
【図１０】図６の要部のさらに一部（第２係合部）の側面図である。
【図１１】図１０の一部の底面図である。
【図１２】図３に対応するキャップ付き容器の作用説明図である。
【発明を実施するための最良の形態】
【００１７】
図１から図１２は、本発明の第１の実施形態に係るキャップ付き容器である。このキャップ付き容器は、容器体２と、注出栓２０と、キャップ３０と、シール部材４０と、位置決め部材５０とで構成されている。これら各部材のうち、容器体２は、ガラスなどの硬質材料又は合成樹脂材で形成することができ、それ以外の部材は合成樹脂材で形成することができる。
【００１８】
上記容器体２は、胴部４から先細テーパ状の肩部６を介して口頸部１０を起立してなる。上記胴部４は楕円筒状であり、図１の横方向の径（胴部の長径ｄＬ）に比べて図２の横方向の径（胴部の短径ｄＳ）に比べて大きい。本明細書では、胴部４の長径の方向を左右方向といい、胴部４の短径の方向を前後方向というものとする。
【００１９】
上記肩部６の短径側、すなわち前後両側にはそれぞれ第１係合部８を設ける。図示例の第１係合部８は、図５に示す如く、後述の第２係合部５６が乗り越えるための主凸部８ａと、この主凸部８ａよりもキャップ３０の閉回転方向に位置する凸状ストッパ８ｂとで形成されている。主凸部８ａと凸状ストッパ８ｂとの間には第２係合部５６を嵌めるための間隙Ｇを設ける。
【００２０】
上記口頸部１０の上端部には環状の係止溝１２が形成されており、この係止溝１２の下方の口頸部外面部分にはネジ部１４が形成されている。
【００２１】
上記注出栓２０は、図１に示す如く、中央に注出孔２２を有する栓板部２４の外周部から外筒部２６を、また栓板部２４の裏面内周部から内筒部２８を２重筒状に垂下させてなる。上記外筒部２６は口頸部１０の係止溝１２に嵌着している。この注出栓２０の構造は適宜変更することができる。
【００２２】
キャップ３０は、略楕円形状の天板３２の外周部から断面略楕円形の外周壁部３４を、天板３２の裏面中央部から断面円形の内周壁部３６をそれぞれ垂下している。この内周壁部３６に外面には、回り留め用突条３８を縦設している（図５参照）。また内周壁部３６の下半部は、大内径部３６ａを形成し、この大内径部内に口頸部１０のネジ部１４と螺合するネジ溝を形成している。内周壁部３６のネジ溝を口頸部１０のネジ部へ最後まで締め込んだときのキャップ３０の位置を本明細書において「閉鎖位置」という。図示例では、この閉鎖位置において、上記外周壁部３４の下端部が肩部６近くまで接近するように形成している。さらに図示のキャップ３０の天板３２中心部からは第１短筒部３９を垂下している。このキャップ３０は、金型で成形するとよく、特に上記楕円の長径軸の方向に割れ線を有する金型で形成することが望ましい。
【００２３】
上記天板３２の裏面外周部の短径軸側には、図２に示す如くリブ３３を形成し、このリブに後述の板バネ６２の上端部が当接されるように形成している。
【００２４】
シール部材４０は、図３に示す如く、閉塞板部４２の上面から第２短筒部４４を起立するとともに、この第２短筒部４４の外面にＯリング４６を嵌着させてなる。そして上記第２短筒部４４を第１短筒部３９の外側に嵌着したときに、閉塞板部４２が上記注出孔２２を閉鎖するとともに、上記Ｏリング４６が閉塞板部４２と天板３２との間を液密に挟持するように設ける。
【００２５】
位置決め部材５０は、図７に示す如く、下端部に一対の第２係合部５６を付設した脚筒部５２を有しており、この脚筒部５２を上記キャップ３０の内周壁部３６の外面に昇降自在に嵌合させている。脚筒部５２の内面には、図６に示す如く、内方及び上方に開放した一対の受け溝５４を縦設しており、この受け溝５４内に上記回り留め用突条３８を挿入させることで、上記内周壁部３６に対して脚筒部５２の回転不能に形成している。
【００２６】
また上記脚筒部５２の上端には、外向きフランジ状板部５８を付設している。この外向きフランジ状板部５８の外周部は上方に隆起させて環状リム部６０に形成している。この環状リム部６０から複数の板バネ６２を起立している。
【００２７】
上記第２係合部５６は、図示例において、下方から見て略台形の基部５６ｂと、下方から見て矩形の先部５６ａとで形成されている（図１１参照）。図１１に示す先部５６ｂの先端面Ｓ１はクリック感を生じさせるために垂直なフラット面になっている。また先部５６ａの下面Ｓ2は図１０に示すように上内方への傾斜面として、第１係合部８の主凸部８ａへの乗り上げが容易に形成している。これらの形状は適宜変形することができる。
【００２８】
上記構成により、位置決め部材５０を組み付けたキャップ３０を、口頸部１０に螺着するときには、キャップ３０が閉鎖位置に近づくにつれて、図１２に示すように板バネ６２がキャップ３０の天板３２裏面に設けたリブ３３に当接することで、板バネ６２の弾性力により脚筒部５２の第２係合部５６が肩部６に圧接する。そして第２係合部５６が第１係合部８の主凸部８ａに当接すると、板バネ６２がさらに弾性変形することで第２係合部５６が主凸部８ａを乗り越える。従って第２係合部５６に過剰な応力が作用することがなく、第２係合部５６が潰れたり、変形することが防止される。
【００２９】
本発明においては、第２係合部５６は、位置決め部材５０を組み込んだキャップ３０の短径軸ＡＳの方向に設けられている。すなわち、第２係合部５６は、短径軸ＡＳの近傍にある左右方向中間部５０Ａに配置されている。また上記複数の板バネ６２は、第２係合部５６の設置箇所からずらして、位置決め部材５０の左方側部５０Ｂ及び右方側部５０Ｃに位置するように配置されている。
【００３０】
仮に第２係合部５６を、長径軸ＡＬの方向に設けると、容器体２の第１係合部８も容器体の長径方向に設けなければならない。そうなると、容器体２を成形するための金型の割り線が短径方向にくることになる。一般に楕円形状の容器では短径側が正面となるため、割り線の痕跡が容器体の正面に現れることになり、見栄えが悪くなり、印刷への不具合も生ずる。本発明の構成によれば、これらの不都合を回避できる。
【００３１】
また前述の通り、位置合わせ用の第２係合部５６の真上に板バネ６２が配置されると、板バネが第２係合部を直接押圧するために、開閉動作が固くなり、係合部が潰れ易くなるが、本発明では第２係合部５６を板バネ６２の設置箇所からずらしたため、こうした不都合を生じない。さらにキャップ３０が透明又は不透明である場合には、板バネ６２が容器体３０の正面方向から見て容器体３０の中心線上に位置するときには容器体の見栄えが悪くなるが、本発明の構成によれば、板バネ６２を正面方向から見た中心線からずらしているから、見栄えを損なうことがない。
【００３２】
なお、好適な図示例では、上記外向きフランジ状板部５８を、キャップ３０の楕円形の長径軸ＡＬの方向に延長して、一対の延長板部６４を形成している。これら延長板部６４の先部は、キャップ３０の外周壁部３４の内隅部３５にフィットする形状としている。これにより延長板部６４の先部とキャップ３０の外周壁部３４との係合力が向上する。このように楕円形のキャップ３０内に位置決め部材５０を組み付けた場合には、真円状のキャップに比べて、第２係合部に過剰な圧接力が作用し易いが、上記本願発明の構成により第２係合部が潰れるという不都合を確実に回避できる。
【００３３】
第２係合部５６及び第１係合部８を、キャップ３０及び容器体２の各平面形状である楕円の短径方向に位置させたため、前述の通り、上記容器体２は、長径方向に割れ線を有する金型（図示せず）で形成することに好適である。それにより容器体などの正面方向に割れ線にくることを回避することができ、製品の外観を良くすることができ、印刷などの不具合も生じない。
【符号の説明】
【００３４】
２…容器体  ４…胴部  ６…肩部
８…第１係合部  ８ａ…主凸部  ８ｂ…凸状ストッパ
１０…口頸部  １２…係止溝  １４…ネジ部
２０…注出栓  ２２…注出孔  ２４…栓板部  ２６…外筒部  ２８…内筒部
３０…キャップ  ３２…天板  ３３…リブ  ３４…外周壁部  ３５…内隅部
３６…内周壁部  ３６ａ…大内径部
３８…回り留め用突条  ３９…第１短筒部
４０…シール部材  ４２…閉塞板部  ４４…第２短筒部  ４６…Ｏリング
５０…位置決め部材  ５０Ａ…左右方向中間部
５０Ｂ…左方側部  ５０Ｃ…右方側部
５２…脚筒部  ５４…受け溝
５６…第２係合部   ５６ａ…先部  ５６ｂ…基部
５８…外向きフランジ状板部  ６０…環状リム部  ６２…板バネ  ６４…延長板部
ＡＬ…（キャップの）長径軸  ＡＳ…（キャップの）短径軸
ｄＬ…容器体の長径  ｄＳ…容器体の短径  Ｇ…間隙
Ｓ１…（先部の）先端面  Ｓ２…（先部の）下面
【図１】
2014240296.tif 000003
【図２】
2014240296.tif 000004
【図３】
2014240296.tif 000005
【図４】
2014240296.tif 000006
【図５】
2014240296.tif 000007
【図６】
2014240296.tif 000008
【図７】
2014240296.tif 000009
【図８】
2014240296.tif 000010
【図９】
2014240296.tif 000011
【図１０】
2014240296.tif 000012
【図１１】
2014240296.tif 000013
【図１２】
2014240296.tif 000014